(57)【要約】【課題】様々な場所や必要に応じて使用態様を変え、１輪、２輪又は３輪式により地面上で物を運搬することができる実用的な運搬車を提供する。【解決手段】運搬車は、後端に取り付けられたハンドル部１１と、底部に枢着された主車輪２と、後端底部に取り付けられた補助車輪セット３とを有する荷台部１を備える。補助車輪セット３は、荷台部１の底部に設けられた枢着部１２に枢軸３１が枢着されている。枢軸３１の両側部には、第１の補助輪セット３２がそれぞれ取り付けられている。枢軸３１の中間部で主車輪２の後方に対応した箇所には、第２の補助輪セット３３が取り付けられている。第１の補助輪セット３２と第２の補助輪セット３３とは、夾角が形成されるように配置されている。枢軸３１と揺動片３４とが固設され、揺動片３４が揺動杆３６により制御されて揺動される。揺動杆３６の中間部は、荷台部１の位置決めプレート３７に枢着される。【選択図】図１
0003174045.tif 000002
【実用新案登録請求の範囲】
【請求項１】
後端に取り付けられたハンドル部と、底部に枢着された主車輪と、後端底部に取り付けられた補助車輪セットと、を有する荷台部を備えた運搬車であって、
前記補助車輪セットは、前記荷台部の底部に設けられた枢着部に枢軸が枢着され、前記枢軸の両側部には、第１の補助輪セットがそれぞれ取り付けられ、前記枢軸の中間部で前記主車輪の後方に対応した箇所に、第２の補助輪セットが取り付けられ、前記第１の補助輪セットと前記第２の補助輪セットとは、夾角が形成されるように配置され、前記枢軸と揺動片とが固設され、前記揺動片が揺動杆により制御されて揺動され、前記揺動杆の中間部が前記荷台部の位置決めプレートに枢着され、前記揺動杆の側部には、前記位置決めプレートに対応した箇所に位置決め凸部が凸設され、前記位置決めプレートは、前記揺動杆の前記位置決め凸部に対応した箇所に複数の位置決め孔を有することを特徴とする運搬車。
【請求項２】
前記主車輪は、動力源により回転されることを特徴とする請求項１に記載の運搬車。
【請求項３】
前記枢軸は、前記揺動片の第１の端部に固設され、
前記揺動片の第２の端部は、接続片の第１の端部に枢着され、
前記接続片の第２の端部は、前記揺動杆に枢着されることを特徴とする請求項１に記載の運搬車。
【考案の詳細な説明】
【技術分野】
【０００１】
本考案は、運搬車に関し、特に、様々な場所や必要に応じて使用態様を変え、１輪、２輪又は３輪式により地面上で物を運搬することができる実用的な運搬車に関する。
【背景技術】
【０００２】
例えば、建設現場、田畑などでは、運搬車により様々な物を運搬するのが一般的である。運搬車は、荷台部の底端に車輪が取り付けられているため、物を運搬するのに便利な道具である。車輪が動力源により駆動されたり、荷台部に設けられたハンドル部を利用したりすることにより、ユーザは運搬車を押したり引いたりすることができる。運搬車を利用する方法は、人手により多くの時間をかけて１つ々々他の場所へ運ぶ方式と異なり、１度に多くの物を積んで運ぶことができる。そのため、運搬車により運搬する方式は、人が手で運ぶより短時間かつ便利に物を楽に運搬することができるため、広く利用されている。
【０００３】
しかし上述の運搬車は、物品を便利に運搬することができるという所定の効果を得ることができるが、実際に使用すると分かるように、この運搬車の荷台部の底端に取り付けられた車輪の数が固定され、必要に応じて変えることができなかった。例えば、広い平地での使用に便利な３輪式の運搬車は、狭い場所（例えば、田んぼの畦道、建設現場など）では使用することが困難である。一方、１輪式の運搬車は、広い平地で使用するには不安定かつ不便であるため、場所に応じて異なる運搬車を購入する必要がある。そのため、様々な場所で使用することができるように、従来の運搬車には改良が求められていた。
【考案の概要】
【考案が解決しようとする課題】
【０００４】
本考案の目的は、様々な場所や必要に応じて使用態様を変え、１輪、２輪又は３輪式により地面上で物を運搬することができる実用的な運搬車を提供することにある。
【課題を解決するための手段】
【０００５】
上記課題を解決するために、本考案の第１の形態によれば、後端に取り付けられたハンドル部と、底部に枢着された主車輪と、後端底部に取り付けられた補助車輪セットと、を有する荷台部を備えた運搬車であって、前記補助車輪セットは、前記荷台部の底部に設けられた枢着部に枢軸が枢着され、前記枢軸の両側部には、第１の補助輪セットがそれぞれ取り付けられ、前記枢軸の中間部で前記主車輪の後方に対応した箇所に、第２の補助輪セットが取り付けられ、前記第１の補助輪セットと前記第２の補助輪セットとは、夾角が形成されるように配置され、前記枢軸と揺動片とが固設され、前記揺動片が揺動杆により制御されて揺動され、前記揺動杆の中間部が前記荷台部の位置決めプレートに枢着され、前記揺動杆の側部には、前記位置決めプレートに対応した箇所に位置決め凸部が凸設され、前記位置決めプレートは、前記揺動杆の前記位置決め凸部に対応した箇所に複数の位置決め孔を有することを特徴とする運搬車が提供される。
【０００６】
また、前記主車輪は、動力源により回転されることが好ましい。
【０００７】
また、前記枢軸は、前記揺動片の第１の端部に固設され、前記揺動片の第２の端部は、接続片の第１の端部に枢着され、前記接続片の第２の端部は、前記揺動杆に枢着されることが好ましい。
【考案の効果】
【０００８】
本考案の運搬車は、様々な場所や必要に応じて使用態様を変え、１輪、２輪又は３輪式により地面上で物を運搬することができて実用的である。
【図面の簡単な説明】
【０００９】
【図１】本考案の一実施形態による運搬車を示す斜視図である。
【図２】本考案の一実施形態による運搬車を示す斜視図である。
【図３】本考案の一実施形態による運搬車を示す部分拡大図である。
【図４】本考案の一実施形態による揺動杆を位置決め状態から外したときの状態を示す断面図である。
【図５】本考案の運搬車の第１の使用態様を示す模式図である。
【図６】本考案の運搬車の第２の使用態様を示す模式図である。
【図７】本考案の運搬車の第３の使用態様を示す模式図である。
【図８】本考案の一実施形態による揺動杆を係合させて位置決めしたときの状態を示す模式図である。
【考案を実施するための形態】
【００１０】
図１〜図３を参照する。図１〜図３に示すように、本考案の一実施形態による運搬車は、後端に取り付けられたハンドル部１１と、底部に枢着された主車輪２と、を有する荷台部１を含む。主車輪２は動力源２１により回転される。荷台部１の後端底部には、補助車輪セット３が取り付けられている。
【００１１】
補助車輪セット３は、荷台部１の底部に設けられた枢着部１２に枢軸３１が枢着されている。枢軸３１の両側部には、第１の補助輪セット３２がそれぞれ取り付けられている。枢軸３１の中央部には、主車輪２の後方に対応した箇所に第２の補助輪セット３３が取り付けられている。第１の補助輪セット３２と第２の補助輪セット３３とは、夾角が形成されるように配置され、枢軸３１と揺動片３４の第１の端部とが固設されている。揺動片３４の第２の端部は、接続片３５の第１の端部と枢着されている。接続片３５の第２の端部は、揺動杆３６に枢着されている。揺動杆３６の中間部は、荷台部１の位置決めプレート３７に枢着されている。揺動杆３６の側部には、位置決めプレート３７に対応した箇所に位置決め凸部３６１が凸設されている。位置決めプレート３７には、揺動杆３６の位置決め凸部３６１に対応した箇所に、複数の位置決め孔３７１が設けられている。
【００１２】
上述したことから分かるように、本考案の運搬車を実際に使用する際、ユーザは様々な場所や必要に応じて使用態様を調整することができる。補助車輪セット３の揺動杆３６を外側へ倒し、位置決めプレート３７の位置決め孔３７１から揺動杆３６の位置決め凸部３６１を外すと（図４参照）、揺動杆３６の中間部が位置決めプレート３７に枢着されているため、揺動杆３６を上下方向へ揺動可能となり、位置決めプレート３７の枢着箇所で揺動杆３６を軸心で揺動させ、揺動杆３６を用いて接続片３５を揺動させるとともに、接続片３５により揺動片３４を揺動させる。
揺動片３４と枢軸３１とが枢着されているため、揺動片３４は枢軸３１で回転する。第１の補助輪セット３２が地面に接触されるまで枢軸３１を回転させ（図５参照）、主車輪２に第１の補助輪セット３２を組み合わせて３輪式を構成して移動させたり、第１の補助輪セット３２及び第２の補助輪セット３３を、地面に接触しなくなるまで枢軸３１を回転させて空中に吊り下げられた状態にし（図６を併せて参照）、主車輪２を単独で１輪式で使用したり、第２の補助輪セット３３と地面とが接触されるまで枢軸３１を回転させたりすることにより（図７を併せて参照）、主車輪２に第２の補助輪セット３３を組み合わせて前後に配置された２輪式により使用したりすることができる上、揺動杆３６を使用態様に調整してから、揺動杆３６の位置決め凸部３６１を位置決めプレート３７の位置決め孔３７１に係合させて位置決めさせることにより（図８参照）、必要に応じて使用態様を調整して位置決めを行う。
【００１３】
上述したことから分かるように、本考案の運搬車は、様々な場所や必要に応じて使用する態様を変え、１輪、２輪又は３輪式により地面上で物を運搬することができて実用的である。
【００１４】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００１５】
１      荷台部
２      主車輪
３      補助車輪セット
１１    ハンドル部
１２    枢着部
２１    動力源
３１    枢軸
３２    第１の補助輪セット
３３    第２の補助輪セット
３４    揺動片
３５    接続片
３６    揺動杆
３７    位置決めプレート
３６１  位置決め凸部
３７１  位置決め孔
【図１】
0003174045.tif 000003
【図２】
0003174045.tif 000004
【図３】
0003174045.tif 000005
【図４】
0003174045.tif 000006
【図５】
0003174045.tif 000007
【図６】
0003174045.tif 000008
【図７】
0003174045.tif 000009
【図８】
0003174045.tif 000010